(57)【要約】【課題】  枝管の数を低減する。【課題手段】  複数階層の建物１０にメイン配管２１を設け、該メイン配管２１から分岐する枝管２２を天井裏４１に配設し、該枝管２２にヘッドを連結した消火設備であって；前記枝管２２は、１階層おきに配設され、該枝管２２には、上層階に散水するヘッドと下層階に散水するヘッドとが連結されている。【選択図】  図１
2005185678.tif 000002
【特許請求の範囲】
【請求項１】
複数階層の建物にメイン配管を設け、該メイン配管から分岐する枝管を天井裏に配設し、該枝管にヘッドを連結した消火設備であって；
前記枝管には、上層階に散水するヘッドと下層階に散水するヘッドとが連結されていることを特徴とする消火設備。
【請求項２】
前記枝管は、一階層おきに配設されていることを特徴とする請求項1記載の消火設備。
【請求項３】
上層階の天井側には、火災を検出する感知器が設けられており、
上層階に散水するヘッドは、床面側に設けられた上向き散水の開放型スプリンクラヘッドであり、
該開放型スプリンクラヘッドには、前記感知器に連動する開閉装置が設けられていることを特徴とする請求項1記載の消火設備。
【請求項４】
前記ヘッドは、横向き散水の側壁型スプリンクラヘッドであることを特徴とする請求項1記載の消火設備。
【請求項５】
複数階層の建物にメイン配管を設け、該メイン配管から分岐する枝管を天井裏に配設し、該枝管にヘッドを連結した消火設備の配管方法であって；
前記枝管を一階層おきに配設し、
該枝管に、上層階に散水するヘッドと下層階に散水するヘッドとを連結することを特徴とする消火設備の配管方法。
【発明の詳細な説明】
【技術分野】
【０００１】
この発明は、複数階層の建物、例えば、高層ビル等に配設される消火設備及びその配管方法に関するものである。
【背景技術】
【０００２】
従来のスプリンクラ設備には、水槽水を吸い揚げる消火ポンプが設けられており、この消火ポンプは、メイン配管に接続されている。前記メイン配管は、建物の垂直方向に沿って立ち上がり、各フロアの天井裏にそれぞれ枝管で分岐されている。枝管はさらにフロアの大きさに応じて再分岐され、最終的に複数の散水用スプリンクラヘッドと結合されている(例えば、特許文献１、２参照)。
【０００３】
【特許文献１】特開昭６０−１２９０５９号公報
【特許文献２】特開平０６−０４７１０５号公報
【発明の開示】
【発明が解決しようとする課題】
【０００４】
従来例の配管方法では、建物の階層やフロア面積が増えると、枝管の数も増えるので、資材費用が嵩むとともに、配管工事の手間も増大する。建築業界は、配管工事費は設備費用の６０％を占めると言われており、配管工事費が増えると、建物の建築コストも高くなるため、配管工事費のコストアップは建物全体の建築コストに対して大きなネックとなる。
【０００５】
この発明は、上記事情に鑑み、枝管の数を低減することを目的とする。
【課題を解決するための手段】
【０００６】
この発明は、複数階層の建物にメイン配管を設け、該メイン配管から分岐する枝管を天井裏に配設し、該枝管にヘッドを連結した消火設備であって；前記枝管には、上層階に散水するヘッドと下層階に散水するヘッドとが連結されていることを特徴とする。
【０００７】
この発明の枝管は、一階層おきに配設されていることを特徴とする。この発明は上層階の天井側には、火災を検出する感知器が設けられており、上層階に散水するヘッドは、床面側に設けられた上向き散水の開放型スプリンクラヘッドであり、該開放型スプリンクラヘッドには、前記感知器に連動する開閉装置が設けられていることを特徴とする。この発明のヘッドは、横向き散水の側壁型スプリンクラヘッドであることを特徴とする。
【０００８】
この発明は、複数階層の建物にメイン配管を設け、該メイン配管から分岐する枝管を天井裏に配設し、該枝管にヘッドを連結した消火設備の配管方法であって；  前記枝管を一階おきに配設し、該枝管に、上層階に散水するヘッドと下層階に散水するヘッドとを連結することを特徴とする。
【発明の効果】
【０００９】
この発明の枝管には、上層階に散水するヘッドと下層階に散水するヘッドとが連結されているので、一本の枝管は上層階用及び下層階用の枝管として共用される。そのため、一階層おきに枝管を配設すれば足りるので、枝管の数を従来の約半分にすることができるとともに、配管作業も簡単となるので、大幅にコストダウンを図ることができる。
【発明を実施するための最良の形態】
【００１０】
本発明の第一実施の形態を図１により説明する。
図１は、スプリンクラ消火設備が設置されている、１０階建ての建物１０の断面図である。メイン配管２１の一端は、消火設備用ポンプ１と接続され、その他端は建物１０の垂直方向へ沿って立ち上がっている。
【００１１】
１階１Ｆの天井裏４１（この部分は、２階２Ｆの床下に相当する）に枝管２２を配設し、該枝管２２をメイン配管２１に連結する。この枝管２２には、１階１Ｆ、即ち、下層階、に散水するスプリンクラヘッド３１と、２階２Ｆ、即ち、上層階、に散水するスプリンクラヘッド３２と、が連結されている。
【００１２】
前記１階１Ｆのスプリンクラヘッド３１は、感熱により開放される、閉鎖型スプリンクラヘッドであり、天井面Ｔに下向きに配設されている。
前記２階２Ｆのスプリンクラヘッド３２は、床面Ｙに上向きに配設されているため、火災時の熱上昇気流を感知しにくいので、感熱により開放される閉鎖型スプリンクラヘッドではなく、開閉装置、例えば、電磁バルブ３４を有する開放型スプリンクラヘッドを配設する。
【００１３】
前記スプリンクラヘッド３１，３２の配設位置や個数は、必要に応じて適宜選択され、例えば、フロアの面積に応じて数個また数十個設けられる。
２階２Ｆの天井面Ｔには、火災感知器５０が設けられている。この感知器５０は、火災時の熱上昇気流を感知し、火災を検出する熱感知器であるが、この感知器として、他の種類のもの、例えば、煙感知器を用いることもできる。この感知器５０は、火災を検出すると、火災信号を図示しない信号線を介して火災受信機に送信する。そうすると、前記受信機は、スプリンクラヘッド３２の開閉装置３４を制御し該ヘッド３２を開放させるので、散水が開始される。
【００１４】
１階１Ｆの天井裏から１階層おいた３階３Ｆの天井裏４１に枝管２２を配設し、該配管２２をメイン配管２１に連結する。この枝管２２には、前記と同様の要領で、下層階３Ｆに散水する閉鎖型スプリンクラヘッド３１と上層階４Ｆに散水する開放型スプリンクラヘッド３２が連結される。又、３階３Ｆの天井面Ｔには、前記と同様に火災感知器５０が設けられている。
【００１５】
この様にして１階層おきの天井裏、即ち、１階１Ｆ、３階３Ｆ、５階５Ｆ、７階７Ｆ、９階９Ｆの天井裏４１、に枝管２２が配設され、スプリンクラヘッド３１，３２が連結される。
【００１６】
次に、この実施の形態の作動について説明する。
１階１Ｆで火災が発生し、閉鎖型スプリンクラヘッド３１が開放されると、ポンプ１が駆動しメイン配管２１から１階１Ｆの天井裏４１に配設した枝管２２に消火水が圧送され、１階１Ｆの天井面Ｔに設置されたスプリンクラヘッド３１から放出される。
【００１７】
２階２Ｆで火災が発生し、火災感知器５０が火災を感知すると、該感知器５０は火災信号を火災受信機に送信する。前記受信機は、開閉装置３４をオンにしスプリンクラヘッド３２を開放させる。そうすると、ポンプ１が駆動しメイン配管２１から１階１Ｆの天井裏４１に配設した枝管２２に消火水が圧送され、２階２Ｆの床面Ｙに設置されたスプリンクラヘッド３２から放出される。
【００１８】
この実施の形態では、１本の枝管２２で上下階層のスプリンクラヘッド３１、３２に給水することができるので、枝管２２を１階層おきに配設すれば足りる。そのため、枝管の数を少なくできるので、資材費用が低減できると共に、配管工事も簡単になるので、従来例に比べ、大幅にコストダウンすることができる。
【００１９】
この発明の第２実施の形態を図２により説明するが、図１と同一図面符号は、その名称も機能も同一である。
図２は、側壁型スプリンクラヘッド３３が設置されている建物１０の断面図である。メイン配管２１の一端は、消火設備用ポンプ１と接続され、その他端は建物１０の垂直方向へ沿って立ち上がっている。
【００２０】
１階１Fの天井裏４１に枝管２２を配設し、該配管２２をメイン配管２１に連結する。前記枝管２２には、側壁４２内に埋設された再分岐管４４が連結されている。この再分岐管４４は、１階１Ｆ側と２階２Ｆ側とに伸びており、その先端及び後端には、側壁型スプリンクラヘッド３３が設けられている。この側壁型スプリンクラヘッド３３は、横方向散水の閉鎖型のスプリンクラヘッドである。この側壁型スプリンクラヘッド３３は、再分岐管４４の先端の左右両側に設けられ、側壁４２の両側から突出して配設されたり、あるいは、再分岐管４４の先端の左又は右のいずれか一方に設けられ、側壁４２の一側から突出して配設されている。
【００２１】
１階１Ｆの天井裏４１から１階層おいた、３階３Ｆの天井裏４１に枝管２２を配設し、該配管２２をメイン配管２１に連結する。この枝管２２には、前記と同様の要領で再分岐管４４を連結し、該再分岐管４４の両端に側壁型スプリンクラヘッド３３を設ける。
【００２２】
この様にして１階層おきの天井裏、即ち、１階１Ｆ、３階３Ｆ、５階５Ｆ、７階７Ｆ、９階９Ｆの天井裏４１、に枝管２２が配設され、再分岐管４４、側壁型スプリンクラヘッド３３が配設される。
【００２３】
次に、この実施の形態の作動について説明する。
１階１Ｆで火災が発生し、側壁型スプリンクラヘッド３３が開放されると、ポンプ１が駆動し、メイン配管２１から１階１Ｆの天井裏４１に配設した枝管２２に消火水が圧送され、枝管２２から下方（１階１Ｆ）へ分岐した再分岐管４４を介してスプリンクラヘッド３３から放出される。
【００２４】
２階２Ｆで火災が発生し、側壁型スプリンクラヘッド３３が開放されると、ポンプ１が駆動し、メイン配管２１から１階１Ｆの天井裏４１に配設した枝管２２に消火水が圧送され、枝管２２から上方（２階２Ｆ）へ分岐した再分岐管４４を介してスプリンクラヘッド３３から放出される。
【００２５】
この発明の実施の形態は、上記に限定されるものではない。
例えば、前記実施の形態では、それぞれスプリンクラヘッドの散水方向は上及び下向き、又は、横向きを挙げたが、１つの建物、又は、１つフロアに必要に応じて上及び下向き、又は、横向きのスプリンクラヘッドを混在設置しても構わない。
又、枝管と結合するヘッドは、スプリンクラヘッドと記載したが、これに限らず、例えば、ミストヘッド、ドレンチャーヘッド、散水ヘッド等のような放水ヘッドを接続してもよい。
【図面の簡単な説明】
【００２６】
【図１】本発明の第１実施の形態を示す縦断面図である。
【図２】本発明の第２実施の形態を示す縦断面図である。
【符号の説明】
【００２７】
２１  メイン配管
２２  枝管
３１  閉鎖型スプリンクラヘッド
３２  開放型スプリンクラヘッド
３３  側壁型スプリンクラヘッド
４１  天井裏
４４  再分岐管
【図１】
2005185678.tif 000003
【図２】
2005185678.tif 000004